(57)【要約】【課題】非充電時の制御回路の自己消費電力を自動的に抑える。【解決手段】乾電池等の電池２と、自己消費電力を極小に抑える省電力モードを含む複数種類のモードで動作し、電池２の出力電力によって動作する制御回路４ａと、制御回路４ａの出力に応じて動作し、電池２の出力電力を携帯機器９を充電するための充電電力に変換するＤＣ／ＤＣ電力変換部３とを備えた電池電源装置において、携帯機器９との間のコネクタ部５の接続状態を、プルアップ抵抗１１ａ及び検出端子７で検出し、コネクタの非接続が検出された場合に、制御回路４ａを省電力モードに設定する。こうすれば、非充電動作時の自己消費電力を自動的に抑えることができ、乾電池を内蔵したままで長期間保管しておいた状態でも、使うときはいつでも乾電池の電池容量がなくならないようにすることができる。【選択図】      図１
2006353016.tif 000002
【特許請求の範囲】
【請求項１】
電池と、自己消費電力を極小に抑える省電力モードを含む複数種類のモードで動作し、前記電池の出力電力によって動作する制御回路と、前記制御回路の出力に応じて動作し、前記電池の出力電力を他の機器を充電するための充電電力に変換する電力変換部とを備えた電池電源装置であって、前記他の機器との間のコネクタの接続状態を検出する接続状態検出手段を含み、前記接続状態検出手段によってコネクタの非接続が検出された場合に、前記制御回路を前記省電力モードに設定することを特徴とする電池電源装置。
【請求項２】
前記接続状態検出手段は、前記コネクタの特定の端子に与えられる電圧値によって該コネクタの接続状態を検出することを特徴とする請求項１記載の電池電源装置。
【請求項３】
前記電圧値が前記電力変換部の出力電圧と等しい電圧であることを特徴とする請求項２記載の電池電源装置。
【請求項４】
前記電圧値が０Ｖであることを特徴とする請求項２記載の電池電源装置。
【請求項５】
前記電池から前記制御回路への電力供給をオンオフ制御するためのスイッチを更に含むことを特徴とする請求項１から請求項４までのいずれか１項に記載の電池電源装置。
【発明の詳細な説明】
【技術分野】
【０００１】
本発明は電池電源装置に関し、特に携帯電話機器等の携帯機器に内蔵されているニッケル水素電池やリチウムイオン二次電池等の蓄電池を、アルカリマンガン乾電池などの乾電池で充電するための電池電源装置に関する。
【背景技術】
【０００２】
従来、携帯電話機器等の携帯機器に内蔵されているニッケル水素電池やリチウムイオン二次電池等の蓄電池を充電する場合、交流１００Ｖなどの電力会社からの商用電力（交流電力）を適した電力（直流電力）に変換するＡＣアダプタなどの充電器が使われてきた。一方、交流１００Ｖなどの電力会社からの商用電力からの交流電力を用いずにアルカリマンガン乾電池などの乾電池からの直流電力を用いた充電の場合は、同直流電力を適した別の電圧レベルの直流電力に変換するＤＣ／ＤＣコンバータ内蔵の乾電池充電器などが使われてきた。
【０００３】
このＤＣ／ＤＣコンバータ内蔵の乾電池充電器では、非充電状態（使っていないとき）において、乾電池などをそのまま装填している場合、ＤＣ／ＤＣコンバータの自己内部電力消費によって、接続されている乾電池から微小な放電が連続して発生し、長期間保管した場合、乾電池の電力容量低下が発生する（このときの電力を待機電力という）。したがって、長期間保管している場合で、災害等が発生して、乾電池充電器を使おうとした場合、使えないケースが考えられてきた。
【０００４】
この対策として、従来、該当乾電池と該当ＤＣ／ＤＣコンバータの配線間に外部スイッチを接続し、使わないときには外部スイッチをＯＦＦにして、ＤＣ／ＤＣコンバータでの自己消費電力を抑える対策や、わざわざ乾電池を取り出して保管する対策などがとられてきた。
また、特許文献１では、二次電池を内蔵した機器が結合していないときに充電器が待機電力を消費しないように、充電器内の電源部をオフ状態に制御している。一方、特許文献２では、コードレスの機器の待機電力消費を解消するために、充電装置と掃除機本体とが非接続状態にある場合に、充電装置の充電回路への電力供給を遮断している。
【特許文献１】特開２００２−３６９３９４号公報
【特許文献２】特開２００３−２５０７３６号公報
【発明の開示】
【発明が解決しようとする課題】
【０００５】
上述したように、ＤＣ／ＤＣコンバータ内蔵の乾電池電源装置では、非充電状態において、乾電池などをそのまま装填している場合、ＤＣ／ＤＣコンバータの自己内部電力消費によって、接続されている乾電池から微小な放電が連続して発生し、長期間保管した場合、乾電池の電力容量低下が発生する。したがって、外部スイッチが付いている充電器においても、外部スイッチをＯＦＦすることを忘れて長期間保管している場合使えないケースが考えられる。つまり、使用者が外部スイッチを切り忘れて長期保管してしまった場合、乾電池の容量低下が発生してしまうことや、乾電池を取り出し忘れてしまうことがあり、使用者に一定の稼動の負担を強いる問題や、操作ミスによって充電器が使えなくなる問題があった。
【０００６】
特許文献１及び特許文献２では、商用電力を用いて充電することを前提としており、電池の出力電力を用いて充電する際の上記問題点を解決することはできない。
本発明は上述した従来技術の問題点を解決するためになされたものであり、その目的は非充電時の制御回路の自己消費電力を自動的に抑えることのできる電池電源装置を提供することである。
【課題を解決するための手段】
【０００７】
本発明の請求項１による電池電源装置は、電池と、自己消費電力を極小に抑える省電力モードを含む複数種類のモードで動作し、前記電池の出力電力によって動作する制御回路（例えば、図１中の制御回路４ａ、図４中の制御回路４ｂ）と、前記制御回路の出力に応じて動作し、前記電池の出力電力を他の機器を充電するための充電電力に変換する電力変換部（例えば、図１、図４中のＤＣ／ＤＣ電力変換部３）とを備えた電池電源装置であって、前記他の機器との間のコネクタの接続状態を検出する接続状態検出手段（例えば、図１中のプルアップ抵抗１１ａ及び検出端子７、図４中のプルダウン抵抗１１ｂ及び検出端子７）を含み、前記接続状態検出手段によってコネクタの非接続が検出された場合に、前記制御回路を前記省電力モードに設定することを特徴とする。このように構成すれば、非充電動作時の自己消費電力を自動的に抑えることができ、乾電池を内蔵したままで長期間保管しておいた状態でも、使うときはいつでも乾電池の電池容量がなくならないようにすることができる。
【０００８】
本発明の請求項２による電池電源装置は、請求項１において、前記接続状態検出手段は、前記コネクタの特定の端子（例えば、図１中の検出端子７、図４中の検出端子７）に与えられる電圧値によって該コネクタの接続状態を検出することを特徴とする。このように構成すれば、コネクタの特定の端子の電圧値を検出し、コネクタの電気的接続状態を容易に検出できる。
【０００９】
本発明の請求項３による電池電源装置は、請求項２において、前記電圧値が前記電力変換部の出力電圧と等しい電圧であることを特徴とする。このように構成すれば、コネクタの特定の端子の電圧値を容易に検出できる。
本発明の請求項４による電池電源装置は、請求項２において、前記電圧値が０Ｖであることを特徴とする。このように構成すれば、コネクタの特定の端子の電圧値を容易に検出できる。
【００１０】
本発明の請求項５による電池電源装置は、請求項１から請求項４までのいずれか１項において、前記電池から前記制御回路への電力供給をオンオフ制御するためのスイッチを更に含むことを特徴とする。このように構成すれば、制御回路の動作電力を完全にゼロにすることができる。また、外部スイッチにより電池電源装置の待機電力をゼロにする方式を採用している機器においては、万が一外部スイッチを切り忘れていても、自動的に待機電力を削減することができる。
【発明の効果】
【００１１】
以上説明したように本発明は、非充電時の制御回路の自己消費電力を自動的に抑えて、乾電池を内蔵したままで長期間保管しておいた状態でも、使うときはいつでも乾電池の電池容量がなくならないという効果がある。
【発明を実施するための最良の形態】
【００１２】
以下、本発明の実施の形態を、図面を参照して説明する。なお、以下の説明において参照する各図では、他の図と同等部分は同一符号によって示されている。
（実施の形態）
以下、図面を用いて本発明の実施例を説明する。
図１は、本実施形態による電池電源装置および携帯機器の構成例を示すブロック図である。同図において、電池電源装置１は、携帯電話などの携帯機器へ電力を給電するためのアルカリマンガン乾電池やニッカド電池などの電池２と、電池２の電圧を変換するＤＣ／ＤＣ電力変換部３と、自己消費電力を極小に抑える省電力モードを含む複数種類のモードで動作する制御回路４ａと、ＤＣ／ＤＣ電力変換部３からの出力の正端子６および負端子８と、携帯電話などの携帯機器が電気的に接続されたことを検出するための検出端子７と、検出端子７が非接続のときに信号レベルを特定の電圧レベルに保つためのプルアップ抵抗１１ａと、正端子６、負端子８および検出端子７の他に配線を内蔵するコネクタ部５とを含んで構成されている。制御回路４ａは、０Ｖ（ＧＮＤレベル）の電圧が入力されたときに動作モードになって発振動作を開始し、０Ｖ以上の信号レベルが入力されたときに動作を停止させて消費電力を小さくすることのできる省電力モード（スタンバイモード）を内蔵している。この制御回路４ａは、例えば、周知の無安定マルチバイブレータを用いて構成することができる。なお、電池電源装置１の検出端子７の信号は制御回路４ａに入力され、制御回路４ａの制御信号はＤＣ／ＤＣ電力変換部３に入力されている。
【００１３】
一方、充電される側の携帯機器９は、携帯機器９のメイン回路である携帯機器回路１０と、携帯機器９の入力部の正端子６ａと、携帯機器９の入力部の両方が同電位（ＧＮＤレベル）になるように電気的に接続されている負端子７ａおよび８ａと、携帯機器９の正端子６ａおよび負端子７ａ、８ａの他に配線を内蔵するコネクタ部１２とを含んで構成されている。
【００１４】
このような構成において、電池電源装置１のコネクタ部５と携帯機器コネクタ部１２とを接続したときには、検出端子７は０Ｖ（ＧＮＤレベル）となる。このため、制御回路４ａは動作を開始し、ＤＣ／ＤＣ電力変換部３を動作させる。
これに対し、電池電源装置１のコネクタ部５と携帯機器コネクタ部１２とを接続していないときには、検出端子は０Ｖ以上となる。すなわち、プルアップ抵抗１１ａを介して無負荷時のＤＣ／ＤＣ電力変換部３の電圧レベルとなる。このため、制御回路４ａは動作を停止し、消費電力が小さくなる。
【００１５】
図２は、図１のＤＣ／ＤＣ電力変換部３にスイッチング電源方式の昇圧型スイッチングＤＣ／ＤＣコンバータを用いた実施例を示す図である。
同図においては、図１の構成の内、電池２の電圧が１．５Ｖ程度のアルカリマンガン乾電池を２直列（Ｅ０＝３．０Ｖ）し、ＤＣ／ＤＣ電力変換部３からの出力電圧を５．４Ｖ程度（Ｖ５＝５．４Ｖ）に昇圧する昇圧型スイッチングＤＣ／ＤＣコンバータを採用している。
【００１６】
ＤＣ／ＤＣ電力変換部３の昇圧型スイッチングＤＣ／ＤＣコンバータの内部は、インダクタ３ａと、ダイオード３ｂと、スイッチング用ＦＥＴスイッチ３ｃと、電圧検出抵抗３ｄ、３ｅと、平滑コンデンサ３ｆとを含んで構成されている。このような構成において、スイッチング用ＦＥＴスイッチ３ｃを高周波（例として数百ｋＨｚ）でオン・オフ制御することにより、ＤＣ／ＤＣ電力変換部３に入力された電圧を昇圧する。
【００１７】
図３は、図２の各部の動作を説明するための波形図である。同図には、ＤＣ／ＤＣ電力変換部３の入力電圧Ｖ１と、ダイオード３ｂに流れる電流Ｉ１と、ＦＥＴスイッチ３ｃのドレイン−ソース間に流れる電流Ｉ２と、ＦＥＴスイッチ３ｃのゲートに印加される電圧Ｖ３と、制御回路４ａの消費電流Ｉ３と、検出端子７の電圧レベルＶ４と、ＤＣ／ＤＣ電力変換部３の出力電圧レベルＶ５とが示されている。
【００１８】
図３中の領域Ａにおいては、電池電源装置１と携帯機器９とが非接続状態であり、検出端子７は非接続なので、プルアップ抵抗１１ａを介して電圧レベルＶ５となっている。この電圧レベルＶ５はＤＣ／ＤＣ電力変換部が動作していないときは、入力電圧Ｖ１と同じ値になるので、検出端子の電圧レベルＶ４は約３Ｖの電池電圧となっている。電圧レベルＶ４が０Ｖ以上（約３Ｖ）であるので制御回路４ａは動作を停止したままである。このため、制御回路４ａからの制御信号であるＦＥＴスイッチ３ｃのゲート信号となる電圧Ｖ３もオフ状態のままであり、ダイオード３ｂに流れる電流Ｉ１やＦＥＴスイッチ３ｃのドレイン−ソース間に流れる電流Ｉ２も流れない。その結果、制御回路４ａの消費電流Ｉ３はほとんど流れない状態である。
【００１９】
次に、同図中の領域Ｂにおいて、電池電源装置１と携帯機器９とを各コネクタ部５、１２を介して接続する。すると、検出端子７の電圧レベルＶ４は０Ｖ（すなわちＧＮＤレベル）となり、制御回路４ａは動作を開始する。これにより、制御回路４ａからの制御信号であるＦＥＴスイッチ３ｃのゲート信号となる電圧Ｖ３に、オン・オフを繰返す波形が現れる。このゲート信号となる電圧Ｖ３のオン・オフの繰返しによって、ＤＣ／ＤＣ電力変換部３のダイオード３ｂとＦＥＴスイッチのソース−ドレイン間に交互に電流Ｉ１、Ｉ２が流れ、その結果、ＤＣ／ＤＣ電力変換部３の出力電圧レベルＶ５は約５．４Ｖの必要な電圧まで昇圧される。この時、制御回路４ａの消費電流Ｉ３は領域Ａの値よりも多くなる。
【００２０】
ここで、電圧検出抵抗３ｄ、３ｅは、ＤＣ／ＤＣ電力変換部３の出力電圧を安定化するための電圧フィードバック用の電圧検出に使われており、携帯機器９の負荷変動によって電圧が変化した場合、それを打ち消すようにゲート信号となる電圧Ｖ３もオン・オフ信号のパルス幅を変動させて電圧を一定化している。平滑コンデンサ３ｆは、ＤＣ／ＤＣ電力変換部３の出力電圧にあるリップル電圧を抑えるために挿入されている。
【００２１】
以上の動作においては、電池電源装置１と携帯機器９とのコネクタの接続状態すなわち非接続、接続を検出し、非接続状態を検出した場合には、制御回路のＶ３のゲート信号動作を停止させ、非接続時の制御回路４ａの消費電流Ｉ３を自動的に削減することができる。
なお、このような構成を採用しない場合、制御回路４ａは動作（電圧Ｖ３の信号の発振）し続けるので、制御回路４ａに無駄な電流が流れ続け、充電しなくても電池２の電力を消耗して行くことになる。
【００２２】
（他の実施形態）
図４は、本実施形態による電池電源装置および携帯機器の構成例を示すブロック図である。同図に示されている電池電源装置１は、図１の構成とは異なり、検出端子７が非接続のときに信号レベルを特定の電圧レベルに保つためのプルダウン抵抗１１ｂを採用している。これに対応して、充電される側の携帯機器９においても、携帯機器９の入力部の両方が同電位になるように電気的に接続されている正端子７ｂを採用している。また、制御回路４ｂは、０Ｖ（ＧＮＤレベル）以上の電圧が入力されたときに動作モードになって発振動作を開始し、０Ｖの信号レベルが入力されたときに動作を停止させて消費電力を小さくすることのできるスタンバイモードを内蔵している。
【００２３】
このような構成において、電池電源装置１のコネクタ部５と携帯機器コネクタ部１２とを接続したときには、検出端子７が特定の正の電圧レベルとなる。このため、制御回路４ｂが動作を開始し、ＤＣ／ＤＣ電力変換部を動作させる。
これに対し、電池電源装置１のコネクタ部５と携帯機器コネクタ部１２とを接続していないときには、検出端子７が０Ｖとなる。すなわち、プルダウン抵抗１１ｂを介して０Ｖ（ＧＮＤレベル）となる。このため、制御回路４ｂは動作を停止し、消費電力が小さくなる。
【００２４】
図５は、図４のＤＣ／ＤＣ電力変換部３にスイッチング電源方式の昇圧型スイッチングＤＣ／ＤＣコンバータを用いた実施例を示す図である。
同図においては、図４の構成の内、電池２の電圧が１．５Ｖ程度のアルカリマンガン乾電池を２直列（Ｅ０＝３．０Ｖ）し、ＤＣ／ＤＣ電力変換部３からの出力電圧を５．４Ｖ程度（Ｖ５＝５．４Ｖ）に昇圧する昇圧型スイッチングＤＣ／ＤＣコンバータを採用している。
【００２５】
ＤＣ／ＤＣ電力変換部３の昇圧型スイッチングＤＣ／ＤＣコンバータの内部は、図２の場合と同様である。すなわち、インダクタ３ａと、ダイオード３ｂと、スイッチング用ＦＥＴスイッチ３ｃと、電圧検出抵抗３ｄ、３ｅと、平滑コンデンサ３ｆとを含んで昇圧型スイッチングＤＣ／ＤＣコンバータが構成されている。このような構成において、スイッチング用ＦＥＴスイッチ３ｃを高周波（例として数百ｋＨｚ）でオン・オフ制御することにより、ＤＣ／ＤＣ電力変換部３に入力された電圧を昇圧する。
【００２６】
図６は、図５の各部の動作を説明するための波形図である。同図には、ＤＣ／ＤＣ電力変換部３の入力電圧Ｖ１と、ダイオード３ｂに流れる電流Ｉ１と、ＦＥＴスイッチ３ｃのドレイン−ソース間に流れる電流Ｉ２と、ＦＥＴスイッチ３ｃのゲートに印加される電圧Ｖ３と、制御回路４ｂの消費電流Ｉ３と、検出端子７の電圧レベルＶ４と、ＤＣ／ＤＣ電力変換部３の出力電圧レベルＶ５とが示されている。
【００２７】
図６中の領域Ａにおいては、電池電源装置１と携帯機器９とが非接続状態であり、検出端子７は非接続なので、プルダウン抵抗１１ｂを介して０Ｖ（ＧＮＤレベル）となっている。そのため、制御回路４ｂは動作を停止したままであり、制御回路４ｂからの制御信号であるＦＥＴスイッチ３ｃのゲート信号となる電圧Ｖ３もオフしたままであり、ダイオード３ｂに流れる電流Ｉ１やＦＥＴスイッチ３ｃのドレイン−ソース間に流れる電流Ｉ２も流れない。その結果、制御回路４ｂの消費電流Ｉ３はほとんど流れない状態である。
【００２８】
次に、同図中の領域Ｂにおいて、電池電源装置１と携帯機器９とを各コネクタ部５、１２を介して接続する。すると、検出端子７の電圧レベルＶ４はＤＣ／ＤＣ電力変換部３の出力電圧レベルＶ５と同電位になり、同電圧レベルＶ５は０Ｖ以上なので制御回路４ｂは動作を開始する。これにより、制御回路４ｂからの制御信号であるＦＥＴスイッチ３ｃのゲート信号となる電圧Ｖ３に、オン・オフを繰返す波形が現れる。このゲート信号となる電圧Ｖ３のオン・オフの繰返しによって、ＤＣ／ＤＣ電力変換部３のダイオード３ｂとＦＥＴスイッチのソース−ドレイン間に交互に電流Ｉ１、Ｉ２が流れ、その結果、ＤＣ／ＤＣ電力変換部３の出力電圧レベルＶ５は約５．４Ｖの必要な電圧まで昇圧される。この時、制御回路４ｂの消費電流Ｉ３は領域Ａの値よりも多くなる。
【００２９】
ここで、電圧検出抵抗３ｄ、３ｅは、ＤＣ／ＤＣ電力変換部３の出力電圧を安定化するための電圧フィードバック用の電圧検出に使われており、携帯機器の負荷変動によって電圧が変化した場合、それを打ち消すようにゲート信号となる電圧Ｖ３もオン・オフ信号のパルス幅を変動させて電圧を一定化している。平滑コンデンサ３ｆは、ＤＣ／ＤＣ電力変換部３の出力電圧にあるリップル電圧を抑えるために挿入されている。
【００３０】
以上の動作においては、電池電源装置１と携帯機器９とのコネクタの接続状態すなわち非接続、接続を検出し、非接続状態を検出した場合には、制御回路のＶ３のゲート信号動作を停止させ、非接続時の制御回路４ａの消費電流Ｉ３を自動的に削減することができる。
なお、このような構成を採用しない場合、制御回路４ｂは動作（電圧Ｖ３の信号の発振）し続けるので、制御回路４ｂに無駄な電流を流し続け、充電しなくても電池２の電力を消耗して行くことになる。
【００３１】
（具体的な使用例）
図７は、電池電源装置１および携帯機器９の使用例を示す外観図である。同図において、ケーブル１４を介して、電池電源装置１のコネクタ部と携帯機器コネクタ部とが電気的に接続される。この接続状態において、携帯電話などの携帯機器９に内蔵されている二次電池が充電される。
【００３２】
（変形例）
図８は、電池電源装置の変形例を示すブロック図である。同図に示されている電池電源装置は、図１の構成に外部スイッチ１３を加えたものである。図８の電池電源装置の動作は、図１の場合と同じである。ただし、携帯機器９の非接続時の制御回路４ａの動作電力を完全にゼロにするために、電池２の正電極側に外部スイッチ１３を設けている。この外部スイッチ１３の手動操作により、電池２から制御回路４ａへの電力供給をオン又はオフに制御する。長期間使わないときなどに外部スイッチ１３を操作して電力供給をオフにし、制御回路４ａの動作電力を完全になくす。
【００３３】
なお、外部スイッチ１３は、電池２の負電極側にあっても良く、この場合も同様の動作である。
上述した外部スイッチを追加することにより、外部スイッチにより電池電源装置の待機電力をゼロにする方式を採用している機器においては、万が一外部スイッチを切り忘れていても、自動的に待機電力を削減することができる。
【００３４】
（まとめ）
以上説明した電池電源装置では、出力側のコネクタ部の正・負端子の２つの端子の他に負荷検出用の検出端子を設け、電池電源装置のコネクタ部の正・負端子の２つの端子のどちらかの端子と負荷検出用端子とが電気的に接続するように携帯機器側のコネクタ部端子側で電気的に接触するように、すなわちクローズループになるように配線している。そして、電池電源装置と携帯機器とが接続された時点で、検出端子からの入力される電圧信号レベルによって自己消費電力を極小に抑える省電力モード（スタンバイモード）から動作モード（自己消費電力が大きいモード）に切り替えている。
【００３５】
つまり、電池電源装置のコネクタ部と携帯機器コネクタ部を接続したときに、検出端子の電圧レベルが変化することによって、携帯機器が接続されたことを検出し、その検出した信号によってＤＣ／ＤＣコンバータの制御回路を動作モードとしている。一方、それらが接続されていない場合、ＤＣ／ＤＣコンバータの制御回路はスタンバイモードとなり、自動的に非充電時の自己消費電力を抑えることができる。
【００３６】
このように、コネクタの接続状態を検出して動作モードを切り替えることにより、非充電時の制御回路の自己消費電力を自動的に抑えて、乾電池を内蔵したままで長期間保管しておいた状態でも、使うときはいつでも乾電池の電池容量がなくならないようにすることができる。つまり、内蔵回路による自己放電を抑え、電池電源装置の待機電力の削減を自動的に行うことができる。
【産業上の利用可能性】
【００３７】
本発明は、携帯電話機などの機器を充電する電池電源装置に利用することができる。
【図面の簡単な説明】
【００３８】
【図１】本発明の実施形態による電池電源装置および携帯機器の構成例を示すブロック図である。
【図２】図１のＤＣ／ＤＣ電力変換部にスイッチング電源方式の昇圧型スイッチングＤＣ／ＤＣコンバータを用いた実施例を示す図である。
【図３】図２の各部の動作を説明するための波形図である。
【図４】本発明の他の実施形態による電池電源装置および携帯機器の構成例を示すブロック図である。
【図５】図４のＤＣ／ＤＣ電力変換部にスイッチング電源方式の昇圧型スイッチングＤＣ／ＤＣコンバータを用いた実施例を示す図である。
【図６】図５の各部の動作を説明するための波形図である。
【図７】電池電源装置および携帯機器の使用例を示す外観図である。
【図８】電池電源装置の変形例を示すブロック図である。
【符号の説明】
【００３９】
１  電池電源装置
２  電池
３  ＤＣ／ＤＣ電力変換部
３ａ  インダクタ
３ｂ  ダイオード
３ｃ  スイッチング用ＦＥＴスイッチ
３ｄ、３ｅ  電圧検出抵抗
３ｆ  平滑コンデンサ
４ａ、４ｂ  制御回路
５  コネクタ部
６、６ａ、７ｂ  正端子
７  検出端子
７ａ、８、８ａ  負端子
９  携帯機器
１０  携帯機器回路
１１ａ  プルアップ抵抗
１１ｂ  プルダウン抵抗
１２  携帯機器コネクタ部
１３  外部スイッチ
１４  ケーブル
Ｉ１、Ｉ２  電流
Ｉ３  消費電流
Ｖ１  入力電圧
Ｖ３  電圧
Ｖ４  電圧レベル
Ｖ５  電圧レベル
【図１】
2006353016.tif 000003
【図２】
2006353016.tif 000004
【図３】
2006353016.tif 000005
【図４】
2006353016.tif 000006
【図５】
2006353016.tif 000007
【図６】
2006353016.tif 000008
【図７】
2006353016.tif 000009
【図８】
2006353016.tif 000010